(57)【要約】      （修正有）【課題】端子箱の内部の点検、保全作業を容易に行うことができ、ヒータひいては加熱装置の不具合や事故の発生を未然に防止し得る端子箱を提供し、ヒータの長寿命化を達成する。【解決手段】複数本並列配置されたヒータ端子部９を密閉状態で収納できる端子箱１３で、ヒータ端子部の軸方向延長位置にヒンジ構造によって容易に開閉可能な扉１４が設置され、端子箱内に設置される電源引込用の端子盤は、ヒータ端子部の軸方向延長位置から半径方向に位置をずらせて設置する。【選択図】図１
0003111894.tif 000002
【実用新案登録請求の範囲】
【請求項１】
加熱装置内に設置されるヒータ発熱部に給電する非発熱部のヒータ端子部を集合的に収納したヒータ端子箱において、複数本並列配置されたヒータ端子部を密閉状態で収納できる端子箱で、ヒータ端子部の軸方向延長位置にヒンジ構造によって容易に開閉可能な扉が設置され、端子箱内に設置されヒータ端子部と電気的に接続される電源引込用の端子盤は、ヒータ端子部の軸方向延長位置から半径方向に位置をずらせて設置されていることを特徴とするヒータ端子箱。
【請求項２】
温度調節計等のヒータを制御する制御機器が、ヒータ端子部の軸方向延長位置から半径方向に位置をずらせて端子箱内に設置されている請求項１記載のヒータ端子箱。
【請求項３】
開閉可能な扉が覗き窓を有する請求項１又は２記載のヒータ端子箱。
【考案の詳細な説明】
【技術分野】
【０００１】
本考案は加熱装置内に設置されるヒータ発熱部に給電する非発熱部のヒータ端子部を集合的に収納したヒータ端子箱の改良に関するものである。
【背景技術】
【０００２】
パイプラインの途中において各種の液体および気体をもっとも経済的に、効率よく手軽に加熱できるように設計された加熱装置として、フランジ付きのシーズヒータを加熱体とし、保温層を有する加熱筒内にシーズヒータを内装して、加熱筒内に流入する被加熱物を効率的に加熱して送り出すようにした循環型の加熱装置が存在し、各種熱媒油などの循環加熱、熱交換機構、温水加熱、蒸気のスーパーヒート、ガス加熱および燃料油の予熱などの各用途に使用されている。このような循環型加熱装置において、防爆性を兼ね備えた加熱装置も特許第２５６１７２１号として提供されている。
【０００３】
この循環型加熱装置は、概ね図４に示すような構造である。すなわち、加熱筒１内にフランジ付きのシーズヒータ２が複数本内装され、導入管３から流入する被加熱流体をシーズヒータ２によって加熱して導出管４から送り出す構造であり、シーズヒータ２はフランジ５において加熱筒１のフランジ６にボルトによって固定されている。装置全体は支持脚７によって支承されている。なお、符号８は吊下げ用アームである。
【０００４】
シーズヒータ２の発熱部に給電する非発熱部のヒータ端子部９は、ヒータ端子箱１０に集合的に密閉収納されている。この端子箱１０には比較的重量のある蓋１１がパッキンを介して数本から数十本の六角ボルト１２にて固定されており、端子部の接触不良による焼損などの有無を点検するためには、複数本の六角ボルト１２を取り外して蓋１１を開く必要があり、また、電源引込用の端子盤がヒータ端子部の軸方向延長位置に設置されているのが通常であるため、蓋１１を開放しても点検がし難く、端子箱内部の点検、保全作業が非常に困難であった。
【特許文献１】特許第２５６１７２１号公報
【考案の開示】
【考案が解決しようとする課題】
【０００５】
ところで、上記のような加熱装置において、シーズヒータ２の発熱部に給電する非発熱部のヒータ端子部９は、ヒータ端子箱１０に集合的に密閉収納されるのであるが、この端子箱１０には比較的重量のある蓋１１がパッキンを介して数本から数十本の六角ボルト１２にて固定されており、端子部の接触不良による焼損などの有無を点検するためには、複数本の六角ボルト１２を取り外して蓋１１を開く必要があり、また、電源引込用の端子盤がヒータ端子部の軸方向延長位置に設置されているのが通常であるため、蓋１１を開放しても点検がし難く、端子箱内部の点検、保全作業が非常に困難であった。
【０００６】
そこで、本考案の目的とするところは、端子箱の内部の点検、保全作業を容易に行い得るヒータ端子箱を提供し、ヒータひいては加熱装置の不具合や事故の発生を未然に防止して長寿命化を達成するところにある。
【課題を解決するための手段】
【０００７】
上記目的を達成するため、本考案のヒータ端子箱は次のように構成される。
すなわち、加熱装置内に設置されるヒータ発熱部に給電する非発熱部のヒータ端子部を集合的に収納したヒータ端子箱において、複数本並列配置されたヒータ端子部を密閉状態で収納できる端子箱で、ヒータ端子部の軸方向延長位置にヒンジ構造によって容易に開閉可能な扉が設置され、端子箱内に設置されヒータ端子部と電気的に接続される電源引込用の端子盤は、ヒータ端子部の軸方向延長位置から半径方向に位置をずらせて設置したヒータ端子箱である。
【０００８】
このような構成とすれば、ヒータ端子部の保守点検を行う際には、扉を簡単に開放可能であり、端子盤がヒータ端子部の軸方向延長位置から半径方向に位置をずらせて設置されているため、端子盤によって視界を遮られることなくヒータ端子部の状況を視認できるとともに保守作業も容易となる。
【０００９】
なお、温度調節計等のヒータを制御する制御機器を、ヒータ端子部の軸方向延長位置から半径方向に位置をずらせて端子箱内に設置しておけば、ヒータの温度調節などの制御が行いやすくなる。また、前記開閉可能な扉に覗き窓を設けておけば、扉を閉じた状態のまま目視点検が可能なため、早期に異常を発見することができる。覗き窓は扉に設けた開口部に透明のガラス板を嵌め込んだ構成が採用できる。
【考案の効果】
【００１０】
この考案のヒータ端子箱によれば、扉の開閉が容易であり、かつ、端子盤によって邪魔されることなくヒータ端子部の目視点検・保守作業ができるので、経年変化による端子部品の交換や保全作業がいつでも容易にできる利点を有しており、また、ヒータ端子部の接触不良による発熱焼損等の電気的事故の発生を防止することがきわめて容易となり、ヒータの長寿命化を達成することができる。また、扉に覗き窓を設けておけば、扉の開閉を要せずして目視点検が可能なため、早期に異常を発見することができる。
【考案を実施するための最良の形態】
【００１１】
以下、循環型加熱装置に本考案の端子箱を採用した場合について説明するが、本考案のヒータ端子箱は循環型加熱装置に限らず、加熱装置内に設置されるヒータ発熱部に給電する非発熱部のヒータ端子部を集合的に収納するヒータ端子箱であれば、各種の加熱装置に採用可能である。
【００１２】
図１は、本考案に係る端子箱１３を使用した循環型加熱装置の概略正面図であり、端子箱以外の部分は従来の構造と同様である。すなわち、加熱筒１内にフランジ付きのシーズヒータ２が複数本内装され、導入管３から流入する被加熱流体をシーズヒータ２によって加熱して導出管４から送り出す構造であり、シーズヒータ２はフランジ５において加熱筒１のフランジ６にボルトによって固定されている。符号７は支持脚７、符号８は吊下げ用アームである。
【００１３】
本考案に係る端子箱１３は、複数本並列配置されたヒータ端子部９を密閉状態で収納
可能であり、ヒータ端子部９の軸方向延長位置にヒンジ構造によって容易に開閉可能な扉１４が設置されている。１５はヒータ端子部９と電気的に接続される電源引込用の端子盤であり、ヒータ端子部９の軸方向延長位置から半径方向に位置をずらせて設置され、リード線１６及び接続端子１７を介してヒータ端子部９と接続されている。ヒータ端子部９の軸方向延長位置から半径方向に位置をずらせて設置されているため、扉１４を開放して保守点検作業を行う場合、ヒータ端子部９の視認及び補修作業が容易である。１８は扉１４に設けた覗き窓でヒータ端子部９が外部から視認可能なように、透明のガラス板を嵌め込んでいる。１９は扉開閉用の取手である。
【図面の簡単な説明】
【００１４】
【図１】本考案に係る端子箱を使用した循環型加熱装置の概略正面図。
【図２】同端子箱部分の拡大正面図。
【図３】同端子箱の正面図で扉を切り欠いて示す。
【図４】従来の端子箱を使用した循環型加熱装置の概略正面図。
【符号の説明】
【００１５】
９…ヒータ端子部
１３…ヒータ端子箱
１４…扉
１５…端子盤
１８…覗き窓
【図１】
0003111894.tif 000003
【図２】
0003111894.tif 000004
【図３】
0003111894.tif 000005
【図４】
0003111894.tif 000006